(57)【特許請求の範囲】
【請求項１】
検査対象の第１の無線通信装置を接続手段を介して接続した第１のコンピュータおよび第２の無線通信装置を備えた第２のコンピュータを用いる無線通信装置の検査方法であって、前記第１のコンピュータから第２のコンピュータへ通信ケーブルを介して前記第１の無線通信装置および第２の無線通信装置による複数種類のデータ転送速度およびデータ転送回数を設定する無線通信方式設定データを送信し、同無線通信方式設定データに基づいて前記第１のコンピュータおよび第２のコンピュータの無線通信方式を設定し、前記第１のコンピュータから前記第１の無線通信装置を介して検査データを送信し、前記第２の無線通信装置を介して前記第２のコンピュータに受信した検査データをさらに前記第２のコンピュータから前記第２の無線通信装置を介して送信し、前記第１の無線通信装置を介して前記第１のコンピュータに受信し、前記第１の無線通信装置および第２の無線通信装置によって前記検査データを前記複数種類のデータ転送速度でそれぞれ前記データ転送回数繰り返し送受信し、前記第１のコンピュータに受信した検査データと元の検査データとを比較検査することを特徴とする無線通信装置の検査方法。
【請求項２】
前記無線通信方式設定データが前記第２のコンピュータに受信されたことを確認するデータを前記第２のコンピュータから第１のコンピュータへ前記通信ケーブルを介して送信することを特徴とする請求項１記載の無線通信装置の検査方法。
【請求項３】
検査対象の第１の無線通信装置を接続手段を介して接続した第１のコンピュータおよび第２の無線通信装置を備えた第２のコンピュータを用いる無線通信装置の検査装置であって、前記第１のコンピュータと第２のコンピュータとを接続して通信を行う通信ケーブルと、前記第１の無線通信装置および第２の無線通信装置の無線通信方式を少なくとも複数種類のデータ転送速度およびデータ転送回数に設定する無線通信方式設定手段と、前記第１のコンピュータから前記第１の無線通信装置を介して検査データを送信するデータ送信手段と、同データ送信手段により送信された検査データを前記第２の無線通信装置を介して前記第２のコンピュータに受信しさらに前記第２のコンピュータから前記第２の無線通信装置を介して送信するデータ受送信手段と、同データ受送信手段から送信されて前記第１の無線通信装置を介して前記第１のコンピュータに受信した検査データと前記データ送信手段により送信した検査データとを比較検査する比較検査手段とを備えた無線通信装置の検査装置。
【発明の詳細な説明】
【０００１】
【発明の属する技術分野】
本発明は、コンピュータに実装して用いる赤外線受発光装置などの無線通信装置の検査方法および検査装置に関する。
【０００２】
【従来の技術】
近年、コンピュータの小型化が進んでおり、軽快な起動力を発揮するノート型コンピュータが普及してきている。コンピュータの使用範囲は企業内から外部へと広がり、外部へ持ち出したノート型コンピュータと企業内のホストコンピュータとにおいてデータをやり取りし、様々な情報を一元的に管理している。また、外部へ持ち出したノート型コンピュータ同士でもデータをやり取りして様々な情報を共有化している。
【０００３】
このようなコンピュータ同士におけるデータのやり取りは、フロッピーディスクなどの記録媒体を用いる方法から通信ケーブルを用いてデータの送受信を行う方法へと移り変わってきている。また、企業の省スペースニーズに応えてさらにコンピュータが高性能と携帯性を兼ね備えてさらに小型かつ薄型になってきており、データの送受信に通信ケーブルを必要とするのは煩わしくなってきたため、データの送受信は赤外線等を用いる無線通信へと移行してきている。
【０００４】
赤外線を用いる無線通信は、複数のコンピュータ同士をケーブルで接続せずに、コンピュータ本体内に無線通信装置としての赤外線受発光装置を内蔵して、この赤外線受発光装置内の発光素子からデータを送信し、別のコンピュータ内に内蔵した赤外線受発光装置の受光素子によって先のデータを受信することでデータ交換を行う。これにより、通信ケーブルを用いる煩わしさが解消される。
【０００５】
一般に、データ通信において用いられるデータ通信方式は、ＩｒＤＡ（Ｉｎｆｒａｒｅｄ  Ｄａｔａ  Ａｓｓｏｃｉａｔｉｏｎ）規格であり、ノート型コンピュータに内蔵されるデータ通信手段はＩｒＤＡ規格準拠の赤外線受発光装置である。ＩｒＤＡ規格では２４００ｂｐｓ〜４Ｍｂｐｓのデータ転送速度によってデータの送受信が行われ、最高で４Ｍｂｐｓの高速データ通信が可能である。
【０００６】
赤外線受発光装置は装置の製造メーカにて単体で製造、検査されている。検査は製造メーカ内にて取り決めた検査項目を検査用テスタにインプットし、装置の各特性検査を実施している。検査が終了した赤外線受発光装置は、コンピュータの製造メーカに出荷され、製造メーカにてコンピュータ内に実装される。
【０００７】
図４は従来の赤外線受発光装置の検査装置の概略図、図５は従来の赤外線受発光装置の検査方法のフロー図である。
【０００８】
図４に示すように、従来の赤外線受発光装置の検査装置は２台のコンピュータＡ，Ｂによって構成されており、コンピュータＡには検査対象の赤外線受発光装置１ａを挿入するソケット付き基板２が接続され、コンピュータＢには赤外線受発光装置１ｂが実装されている。これらの２台のコンピュータＡ，Ｂをそれぞれの赤外線受発光装置１ａ，１ｂを対向させて約１ｍ離して配置し、コンピュータＡのソケット付き基板２に検査対象の赤外線受発光装置１ａを挿入して、図５に示すフローに基づいて赤外線受発光装置１ａの検査を行う。
【０００９】
例えば、ＩｒＤＡ１．１規格に基づく検査を行う場合、無線通信方式の検査項目の一つであるデータ転送速度は２４００，９６００，１９２００，３８４００，５７６００，１１５２００，５７６０００，１１５２０００，４００００００ｂｐｓの９種類であり、これらの各データ転送速度毎にコンピュータＡとコンピュータＢとの間で実際に通信を行い検査する。
【００１０】
図５に示すように、ステップ３１で赤外線受発光装置１ａを検査するデータ転送速度を決定し、コンピュータＡ，Ｂのデータ転送速度をそれぞれ設定する。ステップ３２でコンピュータＡの赤外線受発光装置１ａからデータを送信する。ステップ３３でコンピュータＢの赤外線受発光装置１ｂでこのデータを受信し、受信したデータを再度、コンピュータＢの赤外線受発光装置１ｂから送信する。ステップ３４でコンピュータＡの赤外線受発光装置１ａによってこのデータを受信し、受信したデータを元のデータと比較してビットエラーを確認し、赤外線受発光装置１ａの良否を判定する。そして、出荷する装置の信頼性を上げるために、これらのステップ３１〜３４を各データ転送速度毎に数回ずつ繰り返し行う。
【００１１】
【発明が解決しようとする課題】
このような従来の検査方法によれば、２台のコンピュータＡ，Ｂのそれぞれについてデータ転送速度を設定する必要があり、約１ｍ離して配置したコンピュータＡ，Ｂ間を１人で移動しながら検査することは難しく、通常は２人をそれぞれのコンピュータＡ，Ｂに配置して検査している。したがって、人件費等の問題が生じている。
【００１２】
また、複数種類のデータ転送速度について検査する必要があるため、２台のコンピュータＡ，Ｂのデータ転送速度の設定をその都度変更することになる。したがって、複数種類のデータ転送速度の検査をする場合は、検査中は終始２台のコンピュータＡ，Ｂを操作および監視する必要があり、かなりの時間と労力を費やしている。
【００１３】
さらに、ＩｒＤＡ１．１規格に基づく検査を行う場合は、２４００〜４Ｍｂｐｓの９種類のデータ転送速度が存在し、装置の信頼性向上のためにそれぞれのデータ転送速度につき何回も繰り返し検査を行うのは従来の方法では難しい。
【００１４】
また、赤外線受発光装置１ａは使用方法が実装されるコンピュータによって異なっており、赤外線受発光装置１ａの製造メーカ内部で取り決めた検査内容では必ずしも使用状態と１００％相関しているとは限らない。そのため、使用するコンピュータに実装して検査したほうがよいが、赤外線受発光装置１ａの製造メーカには実装される対象のコンピュータはなく、赤外線受発光装置１ａの実装はコンピュータの製造メーカにて行っている。したがって、様々な使用方法に応じた完全な検査を赤外線受発光装置１ａの製造メーカ側で行うことは難しく、検査漏れを完全に排除することは難しい。
【００１５】
そこで本発明は、任意の無線通信方式にて検査対象の無線通信装置の検査を自動的に行うことが可能な無線通信装置の検査方法および検査装置を提供することを目的とする。
【００１６】
【課題を解決するための手段】
本発明の無線通信装置の検査方法においては、検査対象の第１の無線通信装置を接続手段を介して接続した第１のコンピュータおよび第２の無線通信装置を備えた第２のコンピュータを用いる無線通信装置の検査方法であって、前記第１のコンピュータから第２のコンピュータへ通信ケーブルを介して無線通信方式設定データを送信し、同無線通信方式設定データに基づいて前記第１のコンピュータおよび第２のコンピュータの無線通信方式を設定し、前記第１のコンピュータから前記第１の無線通信装置を介して検査データを送信し、前記第２の無線通信装置を介して前記第２のコンピュータに受信した検査データをさらに前記第２のコンピュータから前記第２の無線通信装置を介して送信し、前記第１の無線通信装置を介して前記第１のコンピュータに受信した検査データと元の検査データとを比較検査することを特徴としたものである。
【００１７】
この本発明によれば、無線通信方式設定データを通信ケーブルを介して送信し、この無線通信方式設定データに基づいて検査を行う２台のコンピュータの無線通信方式を任意に設定することで任意の無線通信方式にて検査対象の無線通信装置の検査を自動的に行うことが可能となる。
【００１８】
【発明の実施の形態】
請求項１記載の発明は、検査対象の第１の無線通信装置を接続手段を介して接続した第１のコンピュータおよび第２の無線通信装置を備えた第２のコンピュータを用いる無線通信装置の検査方法であって、前記第１のコンピュータから第２のコンピュータへ通信ケーブルを介して無線通信方式設定データを送信し、同無線通信方式設定データに基づいて前記第１のコンピュータおよび第２のコンピュータの無線通信方式を設定し、前記第１のコンピュータから前記第１の無線通信装置を介して検査データを送信し、前記第２の無線通信装置を介して前記第２のコンピュータに受信した検査データをさらに前記第２のコンピュータから前記第２の無線通信装置を介して送信し、前記第１の無線通信装置を介して前記第１のコンピュータに受信した検査データと元の検査データとを比較検査することを特徴とする無線通信装置の検査方法としたものであり、第１のコンピュータおよび第２のコンピュータの無線通信方式を通信ケーブルを介して同調させ、任意の無線通信方式にて第１の無線通信装置の検査を自動的に行うことが可能となる。
【００１９】
請求項２記載の発明は、前記無線通信方式設定データが前記第２のコンピュータに受信されたことを確認するデータを前記第２のコンピュータから第１のコンピュータへ前記通信ケーブルを介して送信することを特徴とする請求項１記載の無線通信装置の検査方法としたものであり、第１のコンピュータおよび第２のコンピュータの無線通信方式の同調を確認してから検査対象の無線通信装置の検査を行うことで検査結果に無線通信方式の不一致による検査不良が生じることがなく、第１の無線通信装置の正確な検査を行うことが可能となる。
【００２０】
請求項３記載の発明は、前記無線通信方式設定データは前記第１の無線通信装置および第２の無線通信装置による複数種類のデータ転送速度およびデータ転送回数を設定するものであり、前記第１の無線通信装置および第２の無線通信装置によって前記検査データを前記複数種類のデータ転送速度でそれぞれ前記データ転送回数繰り返し送受信することを特徴とする請求項１または２記載の無線通信装置の検査方法としたものであり、複数種類のデータ転送速度それぞれについて第１の無線通信装置の検査をデータ転送回数繰り返し自動的に行うことが可能となる。
【００２１】
請求項４記載の発明は、検査対象の第１の無線通信装置を接続手段を介して接続した第１のコンピュータおよび第２の無線通信装置を備えた第２のコンピュータを用いる無線通信装置の検査装置であって、前記第１のコンピュータと第２のコンピュータとを接続して通信を行う通信ケーブルと、前記第１の無線通信装置および第２の無線通信装置の無線通信方式を設定する無線通信方式設定手段と、前記第１のコンピュータから前記第１の無線通信装置を介して検査データを送信するデータ送信手段と、同データ送信手段により送信された検査データを前記第２の無線通信装置を介して前記第２のコンピュータに受信しさらに前記第２のコンピュータから前記第２の無線通信装置を介して送信するデータ受送信手段と、同データ受送信手段から送信されて前記第１の無線通信装置を介して前記第１のコンピュータに受信した検査データと前記データ送信手段により送信した検査データとを比較検査する比較検査手段とを備えた無線通信装置の検査装置としたものであり、第１のコンピュータと第２のコンピュータの無線通信方式を通信ケーブルを介して同調させ、任意の無線通信方式にて検査対象の無線通信装置の検査を自動的に行うことが可能となる。
【００２２】
請求項５記載の発明は、前記無線通信方式設定手段が、少なくとも複数種類のデータ転送速度およびデータ転送回数を設定するものである請求項４記載の無線通信装置の検査装置としたものであり、複数種類のデータ転送速度でそれぞれデータ転送回数繰り返し送受信して検査を自動的に行うことが可能となる。
【００２３】
以下、本発明の実施の形態について、図１および図３を用いて説明する。
図１は本発明の実施の形態による赤外線受発光装置の検査装置の概略図、図２は本発明の実施の形態による赤外線受発光装置の検査装置の機能ブロック図、図３は本発明の実施の形態による赤外線受発光装置の検査装置による検査のフロー図である。
【００２４】
図１および図２に示すように、本発明の実施の形態による検査対象の第１の無線通信装置としての赤外線受発光装置の検査には第１のコンピュータとしてのコンピュータＡおよび第２のコンピュータとしてのコンピュータＢの２台を用い、コンピュータＡとコンピュータＢとは通信ケーブル３によって接続している。
【００２５】
コンピュータＡの拡張スロット（図示なし）には検査対象の赤外線受発光装置１ａを挿入してコンピュータＡと接続する接続手段としてのソケット付き基板２が挿入されている。また、コンピュータＡは赤外線受発光装置１ａ，１ｂの無線通信方式としての赤外線通信方式を設定する無線通信方式設定手段１１と、コンピュータＡから赤外線受発光装置１ａを介して検査データを送信するデータ送信手段１２と、後述するデータ受送信手段１３から送信されて赤外線受発光装置１ａを介してコンピュータＡに受信した検査データとデータ送信手段１２により送信した検査データとを比較検査する比較検査手段１４とを備えている。
【００２６】
一方、コンピュータＢには第２の無線通信装置としての赤外線受発光装置１ｂが内部に備えられている。コンピュータＢにはデータ送信手段１２により送信された検査データを赤外線受発光装置１ｂを介してコンピュータＢに受信しさらにコンピュータＢから赤外線受発光装置１ｂを介して送信するデータ受送信手段１３を備えている。
【００２７】
これらの２台のコンピュータＡ，Ｂをそれぞれの赤外線受発光装置１ａ，１ｂを対向させて約１ｍ離して配置し、コンピュータＡのソケット付き基板２に検査対象の赤外線受発光装置１ａを挿入して、図３に示すフローに基づいて検査データを赤外線受発光装置１ａ，１ｂで送受信し、赤外線受発光装置１ａの検査を行う。
【００２８】
図３に示すように、ステップ２１で赤外線受発光装置１ａを検査するための無線通信方式設定データを決定し、無線通信方式設定手段１１によりコンピュータＡからコンピュータＢへ通信ケーブル３を介してこの無線通信方式設定データを送信する。無線通信方式設定データは、例えば、ＩｒＤＡ１．１規格に基づく検査の場合、無線通信方式の検査項目の一つであるデータ転送速度として、２４００，９６００，１９２００，３８４００，５７６００，１１５２００，５７６０００，１１５２０００，４００００００ｂｐｓの９種類とし、これらの複数種類のデータ転送速度毎にコンピュータＡ，Ｂ間のデータ転送速度を設定し、通信を行って赤外線受発光装置１ａを検査する。また、無線通信方式設定データとしてデータ転送回数を各データ転送速度のそれぞれに対して設定することもできる。そして、この無線通信方式設定データに基づいてコンピュータＡ，Ｂの無線通信方式としてのデータ転送速度およびデータ転送回数を設定する。
【００２９】
ここで、ステップ２２において、無線通信方式設定データがコンピュータＢに受信され、設定が完了したことを確認するデータをコンピュータＢからコンピュータＡへ通信ケーブル３を介して送信することもできる。こうして、コンピュータＡ，Ｂの無線通信方式の同調を確認してから赤外線受発光装置１ａの検査を行うことで検査結果に無線通信方式の不一致による検査不良が生じることがなく、赤外線受発光装置１ａの正確な検査を行うことが可能となり、より信頼性の高い検査結果を得ることが可能となる。
【００３０】
ステップ２３でデータ送信手段１２によりコンピュータＡの赤外線受発光装置１ａを介して検査データを設定したデータ転送速度にて送信する。ステップ２４でデータ受送信手段１３により赤外線受発光装置１ｂを介してコンピュータＢにこの検査データを受信し、さらにステップ２４で受信した検査データをデータ受送信手段１３によりコンピュータＢの赤外線受発光装置１ｂを介して設定したデータ転送速度にて送信する。
【００３１】
ステップ２５で比較検査手段１４によりコンピュータＡの赤外線受発光装置１ａを介してこの検査データを受信し、この受信した検査データとデータ送信手段１２により送信した元の検査データとを比較してビットエラーを検査する。これらのステップ２３〜２５を設定したデータ転送回数繰り返し行う。
【００３２】
そして、ステップ２１に戻り、再度、別の無線通信方式でステップ２１〜２５を繰り返す。こうして、コンピュータＡ，Ｂによって検査データを複数種類のデータ転送速度でそれぞれデータ転送回数繰り返し送受信して、比較検査手段１４によりコンピュータＡの赤外線受発光装置１ａを介して受信した検査データとデータ送信手段１２により送信した元の検査データとを比較検査し、発生したビットエラーをカウントして赤外線受発光装置１ａの良否を判定する。
【００３３】
このように、コンピュータＡ，Ｂの無線通信方式としてデータ転送速度を通信ケーブルを介して同調させ、複数種類のデータ転送速度を自動的に可変しながら赤外線受発光装置１ａの検査を設定したデータ転送回数繰り返し自動的に行うことで、赤外線受発光装置１ａにおいて可能な無線通信方式の全てについての検査を自動的に行い、検査漏れを排除することができる。そして、別の赤外線受発光装置を検査する場合は、ソケット付き基板２のソケットに差し替えて検査することができる。
【００３４】
なお、以上の説明では、無線通信装置として赤外線受発光装置の例で説明したが、その他にも可視光などを用いた無線通信装置についても同様に実施可能である。また、データ転送速度については、４Ｍｂｐｓ以上の例えば１６Ｍｂｐｓ等の速度について検査する場合も対応可能である。
【００３５】
【発明の効果】
本発明により、以下の効果を奏することができる。
【００３６】
第１のコンピュータおよび第２のコンピュータの無線通信方式を通信ケーブルを介して同調させ、任意の無線通信方式にて第１の無線通信装置の検査を自動的に行うことが可能となり、無線通信装置において可能な無線通信方式の全てについての検査を自動的に行い、検査漏れを排除することが可能となる。
【００３７】
第１のコンピュータおよび第２のコンピュータの無線通信方式の同調を確認してから検査対象の無線通信装置の検査を行うことで検査結果に無線通信方式の不一致による検査不良が生じることがなく、第１の無線通信装置の正確な検査を行うことが可能となり、より信頼性の高い検査結果を得ることが可能となる。
【００３８】
複数種類のデータ転送速度それぞれについて第１の無線通信装置の検査をデータ転送回数繰り返し自動的に行うことが可能となり、無線通信装置において可能な複数種類のデータ転送速度それぞれ全てについての検査を自動的に行い、検査漏れを排除することが可能となる。
【図面の簡単な説明】
【図１】本発明の実施の形態による赤外線受発光装置の検査装置の概略図
【図２】本発明の実施の形態による赤外線受発光装置の検査装置の機能ブロック図
【図３】本発明の実施の形態による赤外線受発光装置の検査装置による検査のフロー図
【図４】従来の赤外線受発光装置の検査装置の概略図
【図５】従来の赤外線受発光装置の検査装置による検査のフロー図
【符号の説明】
１ａ，１ｂ  赤外線受発光装置
２  ソケット付き基板
３  通信ケーブル
１１  無線通信方式設定手段
１２  データ送信手段
１３  データ受送信手段
１４  比較検査手段
Ａ，Ｂ  コンピュータ
【図１】
0004069526.tif 000002
【図２】
0004069526.tif 000003
【図３】
0004069526.tif 000004
【図４】
0004069526.tif 000005
【図５】
0004069526.tif 000006